(57)【要約】【課題】スクリーンに邪魔されることなく溝蓋で側溝にきちんと蓋することができ、さらにメンテナンス等でスクリーンを紛失する虞れがなく管理が楽で、またスクリーンの不要時にはそれを収納保管できるゴミ除去用スクリーン付き溝蓋を提供する。【解決手段】平面視が長方形の溝蓋１と、側溝の溝内に収まる枠フレーム２１を形成し、該枠フレーム内にゴミを捕捉し得る仕切り棒材２２又は網状材が配設され、さらに該枠フレーム２１の上部両側に外方水平に突出する軸部２３が前記溝蓋１の裏側で且つ端板１４寄りの溝蓋部分又は該溝蓋を受け支える嵩上げ部材３に軸支されてなるゴミ除去用スクリーン２と、を具備し、該スクリーン２が、側溝６内に吊設されて側溝６の溝内を仕切り、側溝６内を流れる流水中のゴミを捕捉し得る一方、前記軸部２３を支点に回転し、溝蓋１の裏面側に係止されて収納できるようにした。【選択図】  図１
2004156366.tif 000002
【特許請求の範囲】
【請求項１】
平面視が長方形の溝蓋（１）と、側溝の溝内に収まる枠フレームを形成し、該枠フレーム内にゴミを捕捉し得る仕切り棒材又は網状材が配設され、さらに該枠フレームの上部両側に外方水平に突出する軸部が前記溝蓋の裏側で且つ端板寄りの溝蓋部分又は該溝蓋を受け支える嵩上げ部材に軸支されてなるゴミ除去用スクリーン（２）と、を具備し、
該スクリーンが、側溝内に吊設されて側溝の溝内を仕切り、側溝内を流れる流水中のゴミを捕捉し得る一方、前記軸部を支点に回転し、溝蓋の裏面側に係止されて収納できるようにしたことを特徴とするゴミ除去用スクリーン付き溝蓋。
【請求項２】
前記溝蓋がヒンジ部材を介在して二分割されて前記嵩上げ部材上に載置され、該ヒンジ部材の軸心を中心にして回動可能な溝蓋の一分割品側に位置する嵩上げ部材部分に前記スクリーンの軸部が軸支される請求項１記載のゴミ除去用スクリーン付き溝蓋。
【発明の詳細な説明】
【０００１】
【発明の属する技術分野】
本発明は側溝に蓋をする溝蓋に、その側溝内を流れる流水中に含まれるゴミを捕捉するスクリーンが一体になったゴミ除去用スクリーン付き溝蓋に関する。
【０００２】
【従来の技術】
側溝内を流れる流水中には落ち葉，枝木等のゴミが含まれ、このゴミをスクリーンでせき止め捕捉する方法がこれまでいくつか提案されてきた（例えば、特許文献１，２参照。）。
【０００３】
【特許文献１】
実開平４−５７５８１号公報（第１図，第３図）
【特許文献２】
実用新案登録第３０４６５４６号公報（図１）
【０００４】
【発明が解決しようとする課題】
しかるに、特許文献１のゴミ除去用スクリーンは鋼構造による単体製品で、側溝に溝蓋で蓋されるとその場所を特定しづらくなった。メンテナンス管理が難しくなる問題があった。さらにこの種のスクリーンは側溝コンクリートに固定されていることが多かった。
特許文献２はターンバックル，Ｌ型アングル，網等を有する排水溝用スクリーンであるが、ターンバックル，Ｌ型アングルが側溝から露出するため、側溝に溝蓋で蓋する場合にスクリーンの在る箇所は、これらが邪魔して蓋することができなかった。
また特許文献１，２に共通することとして、ゴミ除去用スクリーンはメンテナンス等で取り外した際、失ってしまうことがあった。
【０００５】
本発明は上記問題点を解決するもので、スクリーンに邪魔されることなく溝蓋で側溝にきちんと蓋をすることができ、さらにメンテナンス等でスクリーンを紛失する虞れがなく管理が楽で、またスクリーンの不要時にはそれを収納保管できるゴミ除去用スクリーン付き溝蓋を提供することを目的とする。
【０００６】
【課題を解決するための手段】
上記目的を達成すべく、請求項１に記載の発明の要旨は、平面視が長方形の溝蓋（１）と、側溝の溝内に収まる枠フレームを形成し、該枠フレーム内にゴミを捕捉し得る仕切り棒材又は網状材が配設され、さらに該枠フレームの上部両側に外方水平に突出する軸部が前記溝蓋の裏側で且つ端板寄りの溝蓋部分又は該溝蓋を受け支える嵩上げ部材に軸支されてなるゴミ除去用スクリーン（２）と、を具備し、該スクリーンが、側溝内に吊設されて側溝の溝内を仕切り、側溝内を流れる流水中のゴミを捕捉し得る一方、前記軸部を支点に回転し、溝蓋の裏面側に係止されて収納できるようにしたことを特徴とするゴミ除去用スクリーン付き溝蓋にある。請求項２のゴミ除去用スクリーン付き溝蓋は、請求項１で、溝蓋がヒンジ部材を介在して二分割されて前記嵩上げ部材上に載置され、該ヒンジ部材の軸心を中心にして回動可能な溝蓋の一分割品側に位置する嵩上げ部材部分に前記スクリーンの軸部が軸支されることを特徴とする。
【０００７】
請求項１の発明のごとく、スクリーンの枠フレームの軸部が前記溝蓋の裏側で溝蓋部分又は該溝蓋を受け支える嵩上げ部材に軸支され、スクリーンが側溝内に吊設されて側溝の溝内を仕切り、側溝内を流れる流水中のゴミを捕捉し得るようにすると、スクリーンに邪魔されることなく溝蓋で側溝にきちんと蓋をすることができる。そして、スクリーンの軸部が溝蓋部分又は溝蓋を受け支える嵩上げ部材に軸支されるので、メンテナンス等でスクリーンを紛失する虞れがなく管理が楽になる。さらに、スクリーンが軸部を支点に回転し、溝蓋の裏面側に係止されて収納できるようにすると、スクリーンの不要時にはそれを簡単に収納保管できる。
請求項２の発明のごとく、溝蓋がヒンジ部材を介在して二分割されて嵩上げ部材上に載置され、ヒンジ部材の軸心を中心にして回動可能な溝蓋の一分割品側に位置する嵩上げ部材部分にスクリーンの軸部が軸支されると、溝蓋の一分割品を手で開け閉めでき、また一分割品を開ければスクリーンが現れるので、ゴミ除去作業が楽になる。スクリーンが溝蓋に覆われた状態で月日が経過しても、ヒンジ部材が外から見えるので、作業者はスクリーンを容易に発見でき、スクリーンが捕捉したゴミ収集作業が円滑に進む。
【０００８】
【発明の実施の形態】
以下、本発明のゴミ除去用スクリーン付き溝蓋（以下「スクリーン付き溝蓋」という。）について詳述する。図１〜図７は本発明に係るスクリーン付き溝蓋の一形態で、図１はこれを集合桝直前に敷設した説明斜視図、図２はスクリーン付き溝蓋を上方から見下ろした部分斜視図、図３，図４は図２の溝蓋を開けスクリーンを吊設状態にした斜視図、図５は図４のＡ−Ａ線矢視図、図６は図４のスクリーンを回動させ溝蓋の裏面側に寄せた平面図、図７は図６の白抜き矢印のごとくスクリーンを少し持ち上げて横へズラしてスクリーンを突片に係止させた平面図である。
【０００９】
スクリーン付き溝蓋は溝蓋１とスクリーン２と嵩上げ部材３とを具備する。
溝蓋１は全体形状が盤状直方体（平面視が長方形）のグレーチング溝蓋で、多数の金属製帯板からなる主部材１１とこれに直交する金属製連結材１２とで組格子を形成し、それら主部材１１の両端面に側板１３を当接させ固着する。組格子の形成によりスリット１０ができる。詳しくは、主部材１１の帯幅方向を上下にして、主部材１１間の隙間幅を所定ピッチで平行配設した後、これら主部材１１上に複数の連結材１２がクロス配設され、電気圧接により格子状のグレーチング溝蓋１が形成される。連結材１２は通称クロスバーと呼ばれる金属製棒状材を捩ったツイスト棒からなる。
【００１０】
ここでの溝蓋１は二分割される。溝蓋１の二分割品はヒンジ部材１ｃを介在させて連結され、ヒンジ部材１ｃの軸心１ｃ１を中心にして回動可能になる。
符号１８はスリット１０の一部を遮蔽して溝蓋１に固着した取付板である。該取付板１８に本出願人が発明開示した把手１６（特開２００１−１１５５３９号）を取付ける。把手１６からＴ字形に垂直軸部が下方に延び、取付板１８に設けた小孔を遊挿し、垂直軸部の先端にストッパが設けられる。符号１７はプレス成形品からなる保持体を示す。
【００１１】
スクリーン２は金属製枠フレーム２１と仕切り棒材２２と軸部２３とを備える。スクリーン２は側溝６の横断面溝内に収まる枠フレーム２１を形成し（図４）、該枠フレーム２１内にゴミを捕捉し得る仕切り棒材２２が配設されたものである。ここでの枠フレーム２１は棒鋼（又は金属製パイプ）をＵ字状に折曲し、側溝６の横断面より一回り小さく、側溝の溝内６１に収まる大きさでその上部に横架材２１１で連結してほぼ方形枠とする。該枠フレーム２１内にゴミを捕捉し得る仕切り棒材２２が適宜間隔で縦に配設固定される。Ｕ字状の枠フレーム２１の両端上部は両側外方に屈曲し水平に延びて軸部２３が突出形成される。該軸部２３は前記溝蓋１の裏側で且つ端板１４寄りの溝蓋部分又は溝蓋１を受け支える嵩上げ部材３に軸支（回転可能に支持）される。本実施形態は嵩上げ部材３に設けた通孔３２１に両軸部２３を挿通させ、スクリーン２が軸部２３を中心に回転可能に支持される。スクリーン２の幅は嵩上げ部材３の内幅より少し小さく、その分、軸部２３を長くして長めの軸部２３が通孔３２１へ挿入される。通孔３２１へ軸部２３を差し込む深さを手で加減すれば、これに伴いスクリーン２が例えば図６から図７へと溝幅方向（同図は左下方）へ動くこととなる。
【００１２】
嵩上げ部材３は溝蓋１を直接側溝６に置かずに嵩上げするもので、ここでは中空角台からなる。流水溝６１が設けられた側溝６の段差部６３に嵩上げ部材３が載り、該嵩上げ部材の上に溝蓋１が載置される。ヒンジ部材１ｃを介してニ分割された溝蓋１が嵩上げ部材３上に載置され、その一分割品１ａがヒンジ部材１ｃの軸部２３を中心に回動可能にして、該一分割品１ａに位置する嵩上げ部材に前記スクリーン２の軸部２３が軸支される。本実施形態は嵩上げ部材３上に溝蓋１の他分割品１ｂが固定載置されて溝蓋１と嵩上げ部材３とが一体化されるが、嵩上げ部材３から溝蓋１を取り外しできるようにしてもよい。
【００１３】
嵩上げ部材３は溝蓋下面両側に平行に配設される。符号４は両嵩上げ部材３の対向内壁同士３２，３２を連結する横架部材で、ここではＬ型鋼を使用する。横架部材４は断面逆Ｌ形にして上面４１を嵩上げ部材３の上面３１に合わす一方、垂直面４２を通孔３２１近くに設置し、スクリーン２が川下側に図５の鎖線のごとく少しでも下降傾斜すればこれに当接する。川下側で側溝６内に吊設されたスクリーン２がときに流水によってその下部が川下になびくのを横架部材４が阻止する。
横架部材４がスクリーン２に当接，係止することによって、流水の流れがきつくなってもスクリーン２が溝内をより確実に仕切って側溝６内を流れる流水中のゴミを捕捉し得るようになっている。
【００１４】
また、嵩上げ部材３にはその対向壁面側にスクリーン２を収納，保管するための突片３４が設けられる（図６）。突片３４はＬ型片を側面視Ｌ状にしてその下部を嵩上げ部材３の対向壁面３２に溶接固定する。スクリーン２でゴミ除去を要しない場合は図４，図５の吊設状態から軸部２３を支点に回転し、溝蓋１の裏面側盤面にほぼ水平になるところまで持ち上げ（図６）、さらにスクリーン２下部を持ち上げつつ軸部２３を同図の白抜き矢印のごとく左下方向へズラして枠フレーム２１の一部を突片３４の上に載せる（図７）。かくして、スクリーン２を該突片３４の上向き部３４１に係止して収納できるようになっている。
【００１５】
斯るスクリーン付き溝蓋は例えば図１のごとく集合桝７の直前に配設されて、集合桝７に流れ込む流水中に含まれるゴミをその直前で除去するよう用いられる。図１中、符号８はコンクリート蓋、符号９は路面、符号６１は側溝６の溝底を示す。
スクリーン２が溝内に吊設されて側溝６内を仕切り、側溝６内を流れる流水中のゴミを捕捉する。ヒンジ部材１ｃの軸心１ｃ１を中心にして溝蓋１の一分割品１ａ側を回動させれば溝蓋１が蓋した片側部分が開口Ｏするので、捕捉されたゴミはこの開口Ｏを利用して容易に取り出すことができる。
【００１６】
なお、本実施形態は溝蓋１にグレーチング溝蓋１を使用したが、溝蓋１には例えば縞鋼板等の鋼板からなる平面視長方形のものでもよい。この場合、平面視長方形の溝蓋１の端縁（短辺）を端板１４とみなす。また図示を省略するが、溝蓋１の端板１４（端の主部材１１）寄りの溝蓋１部分に通孔を設けて、スクリーン２の軸部２３をこの通孔に挿着し、スクリーン２が該軸部２３で軸支（回転可能に支持）されるようにしてもよい。斯る場合は例えば溝蓋１部分の主部材１１を少し切り欠いてその部分の側板１３に通孔を設けるか、或いは側板１３を少し下方に張り出す格好にして、ここに通孔が設けられる。スクリーン２は仕切り棒材２２に代え網状材を配設してもよいし、必要に応じ枠フレーム２１内に仕切り棒材２２，網状材の両方を配設することができる。
【００１７】
このように構成したスクリーン付き溝蓋は、スクリーン２に邪魔されることなく側溝６にきれいに蓋ができる。そのため、溝蓋１の側溝６への敷設外観が良好で見栄えが向上する。スクリーン２が図１のように嵩上げ部材３から側溝６内に吊設状態で溝内を仕切ると、側溝６内を流れる流水中のゴミをスクリーン２で捕捉できる。スクリーン２は溝蓋１で側溝６が蓋されても、ヒンジ部材１ｃの在るところに設置されるので、月日が経っても作業者はその場所の特定が容易になる。
スクリーン２にゴミがたまった場合は、ヒンジ部材１ｃを支点に溝蓋１の片側の一分割品１ａ側を回動させることによって蓋を開ければ、そこにスクリーン２が現れるので、簡単にゴミ除去，清掃ができる。
スクリーン２は溝蓋１の裏側で且つ端板１４寄りの溝蓋１部分又は該溝蓋１を受け支える嵩上げ部材３部分に軸支された状態にあるので、メンテナンス等で紛失することもない。加えて、スクリーン２の不要時は突片３４に係止させれば、溝蓋１の裏面側の邪魔にならないスペースにスクリーン２を収納保管でき頗る便利になる。
【００１８】
尚、本発明においては前記実施例に示すものに限られず、目的，用途に応じて本発明の範囲で種々変更できる。溝蓋１，スクリーン２，嵩上げ部材３，横架部材４，側溝６等の形状，大きさ，個数，材質等は用途に合わせて適宜選択できる。
【００１９】
【発明の効果】
以上のごとく、本発明ゴミ除去用スクリーン付き溝蓋は、スクリーンに邪魔されることなく溝蓋で側溝にきれいに蓋することができ、またメンテナンス等でスクリーンを紛失する虞れがなく、さらにはスクリーンの不要時にスクリーンを収納保管できるなど数々の優れた効果を発揮する。
【図面の簡単な説明】
【図１】本発明のゴミ除去用スクリーン付き溝蓋の一形態で、集合桝直前に敷設した説明斜視図である。
【図２】スクリーン付き溝蓋を上方から見下ろした部分斜視図である。
【図３】図２の溝蓋を開けスクリーンを吊設状態にした斜視図である。
【図４】図２の溝蓋を開けスクリーンを吊設状態にした斜視図である。
【図５】図４のＡ−Ａ線矢視図である。
【図６】図４のスクリーンを回動させ溝蓋の裏面側に寄せた平面図である。
【図７】図６の白抜き矢印のごとくスクリーンを少し持ち上げて横へズラしてスクリーンを突片に係止させた平面図である。
【符号の説明】
１          溝蓋
１ａ        一分割品
１ｃ        ヒンジ部材
２          スクリーン（ゴミ除去用スクリーン）
２１        枠フレーム
２２        仕切り棒材
２３        軸部
３          嵩上げ部材
６          側溝
【図１】
2004156366.tif 000003
【図２】
2004156366.tif 000004
【図３】
2004156366.tif 000005
【図４】
2004156366.tif 000006
【図５】
2004156366.tif 000007
【図６】
2004156366.tif 000008
【図７】
2004156366.tif 000009